(57)【要約】【課題】画像データのデータ量が多いウェブページに対して、電子透かし検出処理に要する時間を抑制すること【解決手段】管理サーバ１は、ウェブページに含まれる画像のハッシュ値を算出し、一致する値がハッシュ値リストにあるか否かを判定する処理と、一致するとそのハッシュ値の画像の電子透かし識別情報とウェブページの識別情報とを真偽判定サーバ２に送信し、その返信の真偽判定結果を受信する処理とを端末６のコンピュータに実行させるプログラムを、端末６へ送信する。真偽判定サーバ２は、端末６から受信した電子透かし識別情報とウェブページの識別情報との対応関係が、電子透かし識別情報とウェブページの識別情報との正規の対応関係を示す真偽判定テーブルに記録されているか否かを判定し、記録されているときは真、記録されていないときは偽を示す真偽判定結果を端末６へ送信する。【選択図】図１
2008242672.tif 000002
【特許請求の範囲】
【請求項１】
指定された電子透かしの識別情報を少なくとも含む電子透かし情報を生成する電子透かし情報生成手段と、
受信したウェブページに含まれる画像のハッシュ値を算出し、該ハッシュ値と一致する値がハッシュ値リストにあるか否かを判定する電子透かし有無判定処理と、一致する値があると判定した場合には該ハッシュ値の画像に埋め込まれた前記電子透かし情報に含まれる電子透かし識別情報と前記受信したウェブページから判定される当該ウェブページの識別情報とを少なくとも含むウェブページ真偽判定依頼情報を前記ウェブページ真偽確認装置宛に送信し、この送信に対して返信される真偽判定結果を受信する真偽判定依頼処理とを少なくとも端末のコンピュータに実行させる真偽判定依頼情報送信プログラムを、前記端末へ送信する真偽判定依頼情報送信プログラム送信手段と、
前記電子透かし識別情報と前記ウェブページの識別情報との正規の対応関係を示す真偽判定テーブルを記憶する真偽判定テーブル記憶手段と、
前記端末から受信した前記ウェブページ真偽判定依頼情報に含まれる前記電子透かし識別情報と前記ウェブページの識別情報との対応関係が、前記真偽判定テーブルに記録されているか否かを判定し、その結果前記対応関係が記録されていると判定した場合には前記ウェブページが真であることを示す前記真偽判定結果を前記端末へ送信し、前記対応関係が記録されていないと判定した場合には前記ウェブページが偽であることを示す前記真偽判定結果を前記端末へ送信する真偽判定手段と、
を備えることを特徴とするウェブページ真偽確認装置。
【請求項２】
指定された画像のハッシュ値を算出し、該ハッシュ値を含むハッシュ値リストを生成するハッシュ値リスト生成手段を具備し、
前記真偽判定依頼情報送信プログラムは、前記処理に加えて、前記ウェブページ真偽確認装置から前記ハッシュ値リストを受信し、前記端末の記憶部に記憶させる処理を、前記端末のコンピュータにさせること
を特徴とする請求項１に記載のウェブページ真偽確認装置。
【請求項３】
前記ウェブページ真偽確認装置が具備する各手段は、通信ネットワークを介して接続された一つまたは複数のサーバによって備えられ、
前記ウェブページ真偽判定依頼情報は、前記真偽判定手段を有するサーバへ送信される
ことを特徴とする請求項１または請求項２に記載のウェブページ真偽確認装置。
【請求項４】
ウェブページ真偽確認装置におけるウェブページ真偽確認方法であって、
前記ウェブページ真偽確認装置が、指定された電子透かしの識別情報を少なくとも含む電子透かし情報を生成する第１の過程と、
前記ウェブページ真偽確認装置が、受信したウェブページに含まれる画像のハッシュ値を算出し、該ハッシュ値と一致する値がハッシュ値リストにあるか否かを判定する処理と、一致する値があると判定した場合には該ハッシュ値の画像に埋め込まれた前記電子透かし情報に含まれる電子透かし識別情報と前記受信したウェブページから判定される当該ウェブページの識別情報とを少なくとも含むウェブページ真偽判定依頼情報を前記ウェブページ真偽確認装置宛に送信し、この送信に対して返信される真偽判定結果を受信する処理とを少なくとも端末のコンピュータに実行させる真偽判定依頼情報送信プログラムを、前記端末へ送信する第２の過程と、
前記ウェブページ真偽確認装置が、前記端末から受信した前記ウェブページ真偽判定依頼情報に含まれる前記電子透かし識別情報と前記ウェブページの識別情報との対応関係が、前記電子透かし識別情報と前記ウェブページの識別情報との正規の対応関係を示す真偽判定テーブルに記録されているか否かを判定し、その結果前記対応関係が記録されていると判定した場合には前記ウェブページが真であることを示す前記真偽判定結果を前記端末へ送信し、前記対応関係が記録されていないと判定した場合には前記ウェブページが偽であることを示す前記真偽判定結果を前記端末へ送信する第３の過程と、
を備えることを特徴とするウェブページ真偽確認方法。
【請求項５】
ウェブページ真偽確認装置が具備するコンピュータを、
指定された電子透かしの識別情報を少なくとも含む電子透かし情報を生成する電子透かし情報生成手段、
受信したウェブページに含まれる画像のハッシュ値を算出し、該ハッシュ値と一致する値がハッシュ値リストにあるか否かを判定する電子透かし有無判定処理と、一致する値があると判定した場合には該ハッシュ値の画像に埋め込まれた前記電子透かし情報に含まれる電子透かし識別情報と前記受信したウェブページから判定される当該ウェブページの識別情報とを少なくとも含むウェブページ真偽判定依頼情報を前記ウェブページ真偽確認装置宛に送信し、この送信に対して返信される真偽判定結果を受信する真偽判定依頼処理とを少なくとも端末のコンピュータに実行させる真偽判定依頼情報送信プログラムを、前記端末へ送信する真偽判定依頼情報送信プログラム送信手段、
前記端末から受信した前記ウェブページ真偽判定依頼情報に含まれる前記電子透かし識別情報と前記ウェブページの識別情報との対応関係が、真偽判定テーブル記憶手段で記憶する前記電子透かし識別情報と前記ウェブページの識別情報との正規の対応関係を示す真偽判定テーブルに記録されているか否かを判定し、その結果前記対応関係が記録されていると判定された場合には前記ウェブページが真であることを示す前記真偽判定結果を前記端末へ送信し、前記対応関係が記録されていないと判定した場合には前記ウェブページが偽であることを示す前記真偽判定結果を前記端末へ送信する真偽判定手段、
として機能させるプログラム。
【請求項６】
ウェブページを受信し、該ウェブページの真偽をウェブページ真偽確認装置に問い合わせる端末装置のコンピュータを、
前記受信したウェブページに含まれる画像のハッシュ値を算出し、該ハッシュ値と一致する値がハッシュ値リストにあるか否かを判定する電子透かし有無判定部、
前記電子透かし有無判定部が一致する値があると判定した場合には該ハッシュ値の画像に埋め込まれた前記電子透かし情報に含まれる電子透かし識別情報と前記受信したウェブページから判定される当該ウェブページの識別情報とを少なくとも含むウェブページ真偽判定依頼情報を前記ウェブページ真偽確認装置宛に送信し、この送信に対して返信される真偽判定結果を受信する真偽判定依頼部
として機能させるプログラム。
【発明の詳細な説明】
【技術分野】
【０００１】
本発明は、ウェブページ真偽確認装置、ウェブページ真偽確認方法およびプログラム、特に電子透かしにより画像に埋め込まれた情報を利用するウェブページ真偽確認装置、ウェブページ真偽確認方法およびプログラムに関する。
【背景技術】
【０００２】
ウェブサーバが配信するウェブページを端末に表示させて商品購入やその代金決済を行う電子決済システムでは、口座番号、カード番号等のウェブサーバへの送信により商品の銀行決済、カード決済が行われることがあるが、これら決済の手続きを偽装したフィッシングと呼ばれる手口により、口座番号、カード番号等を不正に入手、悪用する犯罪が発生している。このフィッシングと呼ばれる手口は、例えば、悪意あるウェブサーバ管理者の提供するウェブページにおいて、正当な管理者の提供するウェブページと錯誤したウェブページ利用者が、口座番号やカード番号等を入力し、送信する等の手続きで行われる。これら手続きによる口座番号やカード番号などの個人情報の漏洩の防止（フィッシングの防止）を行うため、利用者側の端末等にページの正当性を認証するプログラムやブラウザのプラグインを実装するなどの技術があり、例えば、下記の非特許文献に記載されたシステムが考案されている。
また、認証の方法としては、ウェブサーバから提供されるウェブページに電子透かしにて情報を埋め込んでおき、端末などのプログラムやブラウザが、この埋め込まれた情報を用いて認証する方法が考えられる。
【非特許文献１】“SecureBrain PhishWall”、SecureBrain Corporation、「online」、「平成１９年３月７日検索」、インターネット＜ＵＲＬ：http://www.securebrain.co.jp/products/phishwall/index.html＞
【発明の開示】
【発明が解決しようとする課題】
【０００３】
しかしながら、電子透かしを用いて判別を行なう方法にあっては、ウェブページに多くの画像が含まれている、あるいは大きな画像が含まれているなど、ウェブページの画像データのデータ量が多いと、全ての画像データについて電子透かしの検出処理を行うために検出処理の負荷が大きくなり、この検出処理後にウェブページを表示するため、ウェブページの表示完了までに時間を要してしまうという問題がある。例えば、１メガバイトの画像データに対して検出処理に１秒を要する電子透かしであれば、１メガバイトの画像を３枚含むウェブページについては、電子透かしの検出処理に３秒を要し、ウェブページの表示完了が検出に要した３秒分遅れてしまう。
【０００４】
本発明は、このような事情に鑑みてなされたもので、その目的は、画像データのデータ量が多いウェブページに対して、電子透かし検出処理に要する時間を抑制したウェブページ真偽確認装置、ウェブページ真偽確認方法およびプログラムを提供することにある。
【課題を解決するための手段】
【０００５】
この発明は上述した課題を解決するためになされたもので、本発明のウェブページ真偽確認装置は、指定された電子透かしの識別情報を少なくとも含む電子透かし情報を生成する電子透かし情報生成手段と、受信したウェブページに含まれる画像のハッシュ値を算出し、該ハッシュ値と一致する値がハッシュ値リストにあるか否かを判定する電子透かし有無判定処理と、一致する値があると判定した場合には該ハッシュ値の画像に埋め込まれた前記電子透かし情報に含まれる電子透かし識別情報と前記受信したウェブページから判定される当該ウェブページの識別情報とを少なくとも含むウェブページ真偽判定依頼情報を前記ウェブページ真偽確認装置宛に送信し、この送信に対して返信される真偽判定結果を受信する真偽判定依頼処理とを少なくとも端末のコンピュータに実行させる真偽判定依頼情報送信プログラムを、前記端末へ送信する真偽判定依頼情報送信プログラム送信手段と、前記電子透かし識別情報と前記ウェブページの識別情報との正規の対応関係を示す真偽判定テーブルを記憶する真偽判定テーブル記憶手段と、前記端末から受信した前記ウェブページ真偽判定依頼情報に含まれる前記電子透かし識別情報と前記ウェブページの識別情報との対応関係が、前記真偽判定テーブルに記録されているか否かを判定し、その結果前記対応関係が記録されていると判定した場合には前記ウェブページが真であることを示す前記真偽判定結果を前記端末へ送信し、前記対応関係が記録されていないと判定した場合には前記ウェブページが偽であることを示す前記真偽判定結果を前記端末へ送信する真偽判定手段と、を備えることを特徴とする。
【０００６】
また、本発明のウェブページ真偽確認装置は、上述のウェブページ真偽確認装置であって、指定された画像のハッシュ値を算出し、該ハッシュ値を含むハッシュ値リストを生成するハッシュ値リスト生成手段を具備し、前記真偽判定依頼情報送信プログラムは、前記処理に加えて、前記ウェブページ真偽確認装置から前記ハッシュ値リストを受信し、前記端末の記憶部に記憶させる処理を、前記端末のコンピュータにさせることを特徴とする。
【０００７】
また、本発明のウェブページ真偽確認装置は、上述のいずれかのウェブページ真偽確認装置であって、前記ウェブページ真偽確認装置が具備する各手段は、通信ネットワークを介して接続された一つまたは複数のサーバによって備えられ、前記ウェブページ真偽判定依頼情報は、前記真偽判定手段を有するサーバへ送信されることを特徴とする。
【０００８】
また、本発明のウェブページ真偽確認方法は、ウェブページ真偽確認装置におけるウェブページ真偽確認方法であって、前記ウェブページ真偽確認装置が、指定された電子透かしの識別情報を少なくとも含む電子透かし情報を生成する第１の過程と、前記ウェブページ真偽確認装置が、受信したウェブページに含まれる画像のハッシュ値を算出し、該ハッシュ値と一致する値がハッシュ値リストにあるか否かを判定する処理と、一致する値があると判定した場合には該ハッシュ値の画像に埋め込まれた前記電子透かし情報に含まれる電子透かし識別情報と前記受信したウェブページから判定される当該ウェブページの識別情報とを少なくとも含むウェブページ真偽判定依頼情報を前記ウェブページ真偽確認装置宛に送信し、この送信に対して返信される真偽判定結果を受信する処理とを少なくとも端末のコンピュータに実行させる真偽判定依頼情報送信プログラムを、前記端末へ送信する第２の過程と、前記ウェブページ真偽確認装置が、前記端末から受信した前記ウェブページ真偽判定依頼情報に含まれる前記電子透かし識別情報と前記ウェブページの識別情報との対応関係が、前記電子透かし識別情報と前記ウェブページの識別情報との正規の対応関係を示す真偽判定テーブルに記録されているか否かを判定し、その結果前記対応関係が記録されていると判定した場合には前記ウェブページが真であることを示す前記真偽判定結果を前記端末へ送信し、前記対応関係が記録されていないと判定した場合には前記ウェブページが偽であることを示す前記真偽判定結果を前記端末へ送信する第３の過程と、を備えることを特徴とする。
【０００９】
また、本発明のプログラムは、ウェブページ真偽確認装置が具備するコンピュータを、指定された電子透かしの識別情報を少なくとも含む電子透かし情報を生成する電子透かし情報生成手段、受信したウェブページに含まれる画像のハッシュ値を算出し、該ハッシュ値と一致する値がハッシュ値リストにあるか否かを判定する電子透かし有無判定処理と、一致する値があると判定した場合には該ハッシュ値の画像に埋め込まれた前記電子透かし情報に含まれる電子透かし識別情報と前記受信したウェブページから判定される当該ウェブページの識別情報とを少なくとも含むウェブページ真偽判定依頼情報を前記ウェブページ真偽確認装置宛に送信し、この送信に対して返信される真偽判定結果を受信する真偽判定依頼処理とを少なくとも端末のコンピュータに実行させる真偽判定依頼情報送信プログラムを、前記端末へ送信する真偽判定依頼情報送信プログラム送信手段、前記端末から受信した前記ウェブページ真偽判定依頼情報に含まれる前記電子透かし識別情報と前記ウェブページの識別情報との対応関係が、真偽判定テーブル記憶手段で記憶する前記電子透かし識別情報と前記ウェブページの識別情報との正規の対応関係を示す真偽判定テーブルに記録されているか否かを判定し、その結果前記対応関係が記録されていると判定された場合には前記ウェブページが真であることを示す前記真偽判定結果を前記端末へ送信し、前記対応関係が記録されていないと判定した場合には前記ウェブページが偽であることを示す前記真偽判定結果を前記端末へ送信する真偽判定手段、として機能させる。
【００１０】
また、本発明のプログラムは、ウェブページを受信し、該ウェブページの真偽をウェブページ真偽確認装置に問い合わせる端末装置のコンピュータを、前記受信したウェブページに含まれる画像のハッシュ値を算出し、該ハッシュ値と一致する値がハッシュ値リストにあるか否かを判定する電子透かし有無判定部、前記電子透かし有無判定部が一致する値があると判定した場合には該ハッシュ値の画像に埋め込まれた前記電子透かし情報に含まれる電子透かし識別情報と前記受信したウェブページから判定される当該ウェブページの識別情報とを少なくとも含むウェブページ真偽判定依頼情報を前記ウェブページ真偽確認装置宛に送信し、この送信に対して返信される真偽判定結果を受信する真偽判定依頼部として機能させる。
【発明の効果】
【００１１】
この発明によれば、ウェブページに含まれる画像のハッシュ値を算出し、該ハッシュ値と一致する値がハッシュ値リストにあるか否かを判定し、一致する値があると判定した場合には該ハッシュ値の画像に埋め込まれた電子透かし情報を取得する。このように、電子透かし情報の検出に比べて、演算量が格段に少ないハッシュ値の算出により、電子透かし情報を含む画像データを特定するため、画像データのデータ量が多いウェブページに対しても電子透かし検出処理に要する時間を抑制することができる。
【発明を実施するための最良の形態】
【００１２】
以下、本発明の一実施形態によるウェブページ真偽確認システムを図面を参照して説明する。図１は同実施形態によるウェブページ真偽確認システムの構成を示すブロック図である。この図において、符号１はウェブページ真偽確認のために利用される各種情報やプログラムの生成を行い、それら情報を他の装置へ送信する管理サーバである。また２は端末からの依頼に基づいてウェブページの真偽判定を行う真偽判定サーバである。また３は、端末６からの要求に基づいて、電子透かし情報が埋め込まれた画像データのハッシュ値のリストであるハッシュ値リストを配布するハッシュ値リスト配布サーバである。また４は正規ウェブサーバ、５は正規ウェブサーバ４の配信しているウェブページのコピー等を不正に配信する偽ウェブサーバである。また６はＰＣ、携帯電話、ＰＤＡなどの端末である。そして、これら管理サーバ１、真偽判定サーバ２、ハッシュ値リスト配布サーバ３、正規ウェブサーバ４、偽ウェブサーバ５、端末６は通信ネットワークを介して接続されており、偽ウェブサーバ５を除いた各サーバによってウェブページ真偽確認システムが構成されている。なお、管理サーバ１、真偽判定サーバ２、ハッシュ値リスト配布サーバ３、正規ウェブサーバ４は別々のサーバとして示しているが、何れか複数のサーバの処理が同一サーバ上に構成されていてもよい。
なお、上述のハッシュ値は、ＭＤ（Message Digest Algorithm）４、ＭＤ５、ＳＨＡ（Secure Hash Algorithm）−１などのうち予め決められたハッシュ関数を対象の画像データに用いて算出された値である。
【００１３】
図２は各サーバの機能ブロックを示す図である。
この図の管理サーバ１において、符号１１は他のサーバや端末６と情報を送受信する通信処理部である。また１２は管理サーバ１の各処理部を制御する制御部である。また１３は正規ウェブサーバ４の配信するウェブページに埋め込まれる電子透かし情報を生成する電子透かし情報生成部である。また１４は端末６において受信したウェブページの真偽判定を行うためのプログラム（以下、真偽判定依頼プログラム）を配信する真偽判定依頼プログラム配信部である。また１５は真偽判定サーバ２がウェブページの真偽判定に利用する真偽判定テーブルの作成や、端末６の利用者がウェブページの文字入力欄に文字列を入力した際にその文字列が重要であるかどうかを特定する為に利用する重要文字列特定テーブル（重要文字列特定情報）の作成や、生成した電子透かし情報等を正規ウェブサーバ４へ送信する処理などを行う管理部である。また１６は各種情報を記憶するデータベースである。また１７は、電子透かし情報を埋め込まれた画像データのハッシュ値を算出し、ハッシュ値リスト配布サーバ３に送信するとともに、データベース１６に記憶されているハッシュ値テーブルのハッシュ値リストに追加するハッシュ値算出部である。
【００１４】
また真偽判定サーバ２において、符号２１は他のサーバや端末６と情報の送受信を行う通信処理部である。また２２は真偽判定サーバ２の各処理部を制御する制御部である。また２３はウェブページの真偽判定の処理を行う真偽判定処理部である。また２４は各種情報を記憶するデータベースである。また２５はウェブページ真偽判定においてウェブページが偽であると判定した場合にその警告情報を端末６へ通知（または正規ウェブサーバ４などに通知してもよい）する警告情報通知部である。
【００１５】
またハッシュ値リスト配布サーバ３において、符号３１は各サーバや端末６と情報を送受信する通信処理部である。また３２はハッシュ値リスト配布サーバ３の各処理部を制御する制御部である。また３３は端末６からの要求に応じてハッシュ値リストを配信するハッシュ値リスト配信部である。また３４はハッシュ値リストとその更新日とを格納したハッシュ値テーブルを記憶しているデータベース部である。また３５は管理サーバ１からハッシュ値を受けて、ハッシュ値リストに追加するとともに、ハッシュ値リストの更新日を現在日に更新するハッシュ値リスト管理部である。
また正規ウェブサーバ４において、符号４１は各サーバや端末６と情報を送信する通信処理部である。また４２は正規ウェブサーバ４の各処理部を制御する制御部である。また４３はウェブサーバの処理を行うウェブサーバ処理部である。また４４は記憶部である。
【００１６】
図３は端末６の機能ブロックを示す図である。
この図において、６１は各サーバと情報の送受信を行う通信処理部である。また６２は端末６内の各処理部を制御する制御部である。また６３はウェブブラウザの処理を行うウェブブラウザ処理部である。また６４は受信したウェブページに含まれる画像データのハッシュ値を算出し、該ハッシュ値と同じ値が自装置が記憶するハッシュ値リストにあるか否かに基づき、電子透かし情報が埋め込まれているか否かを判定する電子透かし有無判定部である。また６５はウェブブラウザ処理部６３の起動時にハッシュ値リストの更新日を確認し、更新されていたらハッシュ値リスト配布サーバ３から受信し、記憶部６９のハッシュ値テーブルに記憶させるハッシュ値リスト取得部である。また６６は受信したウェブページの文字入力欄に入力された文字列の送信指示を検出する処理や、ウェブページ真偽判定依頼情報を真偽判定サーバ２に送信する処理を行う真偽判定依頼処理部である。また６７は受信したウェブページに前記電子透かし情報が埋め込まれているか否かの結果や、真偽判定サーバ２より取得した真偽判定の結果に基づいて、文字列の送信または文字列の送信の保留または文字列の送信の警告表示などを行う処理や、受信したウェブページ内にその真偽判定の結果を出力する処理を行う文字列送信可否判定部である。また６８は真偽判定結果とともに受信した重要文字列特定テーブルを記憶部６９に記録する処理や、文字列を送信する前に受信したウェブページに重要文字列特定テーブルに格納された重要文字列特定情報が埋め込まれているか否かを判定する処理や、受信したウェブページに重要文字列特定情報が埋め込まれている場合に、当該重要文字列特定情報とウェブページの文字入力欄に入力された文字列とを対応付けて記憶部６９に記録する処理を行う重要文字列登録部である。また６９は各種情報を記憶する記憶部である。
【００１７】
そして、ウェブページ真偽確認システムにおいては、正規ウェブサーバ４が管理サーバ１の生成した電子透かし情報の埋め込まれたウェブページを配信し、当該ウェブページの配信を受けた端末６は、受信したウェブページに電子透かし情報が埋め込まれているか否かをウェブページ中の画像データのハッシュ値がハッシュ値リストにあるか否かに基づいて自動判定する。また端末６は受信したウェブページの文字入力欄に入力された文字列の送信指示を検出する。また端末６は受信したウェブページに電子透かし情報が埋め込まれている場合にはウェブページ真偽判定依頼情報を真偽判定サーバ２に送信する。また端末６は受信したウェブページに電子透かし情報が埋め込まれていない場合には文字入力欄に入力された文字列を重要文字列として記憶しているか否かを判定してその結果に応じて文字列の送信または文字列の送信の保留や文字列の送信の警告表示を行う。また端末６はウェブページ真偽判定依頼情報に応じて返信される真偽判定結果が真を示す場合には文字列の送信許可を行う。また端末６はウェブページ真偽判定依頼情報に応じて返信される真偽判定結果が偽を示す場合には文字列の送信の保留や文字列の送信の警告表示を行う。真偽判定サーバ２においては、端末６から受信したウェブページ真偽判定依頼情報に含まれる電子透かし識別情報とウェブページの識別情報との対応関係が、真偽判定テーブルに記録されているか否かを判定し、その対応関係が記録されていると判定した場合にはウェブページが真であることを示す真偽判定結果を端末６へ送信し、前記対応関係が記録されていないと判定した場合にはウェブページが偽であることを示す真偽判定結果を端末６へ送信する。
【００１８】
また端末６は受信したウェブページに電子透かし情報が埋め込まれている場合には、文字入力欄に文字列の入力が行われる前、つまりウェブページを受信すると直ちに、ウェブページ真偽確認装置に対してウェブページの真偽判定依頼情報を送信する。そして端末６は真偽判定依頼情報に応じて返信される真偽判定結果を受信したウェブページ内などの画面上に出力する。
【００１９】
また端末６は真偽判定結果とともに重要文字列特定テーブルの情報を受信し、その情報を記憶部６９に記録する。そしてウェブページの文字入力欄に入力された文字列を送信する前に、当該ウェブページに重要文字列特定テーブルに格納された重要文字列特定情報が埋め込まれているか否かを判定する。そして端末６は受信したウェブページに重要文字列特定情報が埋め込まれている場合には、重要文字列特定情報とウェブページの文字入力欄に入力された文字列とを対応付けて記憶部６９に記録する。
【００２０】
また端末６のハッシュ値リスト取得部６５は起動時にハッシュ値リスト配布サーバ３にハッシュ値リストの更新日を確認して、記憶部６９に記憶しているハッシュ値リストの更新日より後に更新されているときにハッシュ値リスト配布サーバ３から送信されるハッシュ値リストおよび該ハッシュ値リストの更新日を受信して、記憶部６９のハッシュ値テーブルに記録する。このハッシュ値リスト取得処理の詳細については、図１２の説明にて詳述する。
【００２１】
次にウェブページ真偽確認システムの処理の詳細について説明する。
図４はウェブページ真偽確認システムの登録設定の処理の流れを示す概念図である。
まず、正規ウェブサーバ４の管理者は、外部に漏洩してはならない重要な文字列を入力する文字入力欄（例えばパスワードやＩＤや口座番号やクレジットカード番号などの文字列を入力する欄）を備えたウェブページを作成すると、そのウェブページの真偽判定確認システムへの登録処理を行うため、正規ウェブサーバ４（または任意のサーバでもよい）を用いて管理サーバ１へアクセスし、電子透かし情報の要求を指示する。この時、電子透かし情報の要求依頼が正規ウェブサーバ４から管理サーバ１へ送信される（ステップＳ１０１）。管理サーバ１の電子透かし情報生成部１３は、電子透かし情報の要求依頼を通信処理部１１を介して受付けると、電子透かしＩＤを発行し、当該電子透かしＩＤと、電子透かしの有効期限と、真偽判定サーバ２のＵＲＬとを含む電子透かし情報を生成する（ステップＳ１０２）。
【００２２】
次に、管理サーバ１の電子透かし情報生成部１３は、例えば正規ウェブサーバ４から電子透かし情報を格納するウェブページの情報を受付けて、当該ウェブページの画像データのうちの少なくとも１つに電子透かし情報を埋め込む処理を行い、ハッシュ値算出部１７は、電子透かし情報が埋め込まれた画像データのハッシュ値を算出し（ステップＳ１０３）、電子透かし情報を埋め込んだウェブページのデータを正規ウェブサーバ４へ返信する（ステップＳ１０４）。管理サーバ１の管理部１５は、データベース１６に記憶しているハッシュ値リストに、ステップＳ１０３にて算出したハッシュ値を追加するとともに、追加したハッシュ値をハッシュ値リスト配布サーバ３に送信する（Ｓ１０５）。ハッシュ値リスト配布サーバ３のハッシュ値リスト管理部３５は、これを受けて、ハッシュ値リストに受けたハッシュ値を追加する。
【００２３】
またはこのステップＳ１０４の処理において電子透かし情報生成部１３は電子透かし情報を正規ウェブサーバ４へ送信し、正規ウェブサーバ４においてその電子透かし情報を対象のウェブページへ埋め込む処理を行うとともに、埋め込んだ画像データのハッシュ値を算出し、該ハッシュ値を管理サーバ１経由、または直接ハッシュ値リスト配布サーバ３に送信するようにしてもよい。この場合もハッシュ値リスト配布サーバ３のハッシュ値リスト管理部３５は、これを受けて、ハッシュ値リストに受けたハッシュ値を追加する。
またはこのステップＳ１０５の処理において管理部１５はデータベース１６に記憶しているハッシュ値リストに、ステップＳ１０３にて算出したハッシュ値を追加して更新するとともに、更新したハッシュ値リストをハッシュ値リスト配布サーバ３に送信するようにしてもよい。この場合はハッシュ値リスト管理部３５は、このハッシュ値リストを受けて、データベース３４に記録する。
これにより正規ウェブサーバ４の配信するウェブページのうちの少なくとも一つの画像データに電子透かし情報が埋め込まれ、電子透かし情報が埋め込まれた画像データのハッシュ値が、ハッシュ値リストに追加される。
【００２４】
なお、ウェブページに埋め込まれた電子透かし情報は電子透かしＩＤと、電子透かしの有効期限と、真偽判定サーバ２のＵＲＬが暗号化された情報であってもよい。また、管理サーバ１は電子透かし情報の代わりに、ＱＲコードなどの他の情報を生成して、その情報をウェブページに埋め込むようにしてもよい。そして管理サーバ１は電子透かし情報に含まれる電子透かしＩＤと電子透かし有効期限とを対応付けてデータベース１６のサーバ発行テーブルに記録する。なお電子透かし情報は要求依頼のあった対象のウェブページごとに生成される。
また、管理サーバ１の管理部１５は、ハッシュ値リストにハッシュ値を追加して更新するとともに、ハッシュ値リストを更新した日付け（更新日）を、データベース１６に記録する。
【００２５】
電子透かし情報が埋め込まれたウェブページを正規ウェブサーバ４へ送信すると、次に管理サーバ１の管理部１５が、予めデータベース１６などに記録していたウェブページ真偽判定を行う為のチェックプログラムを読み込んで、正規ウェブサーバ４から指定された真偽判定サーバ２へ送信する（ステップＳ１０６）。なお、既にチェックプログラムを真偽判定サーバ２へ送信している場合には、この処理は省略する。この真偽判定サーバ２は正規ウェブサーバ４の管理者に指定されたサーバでもよいし、予め定められたサーバであってもよい。そして、管理部１５は、正規ウェブサーバ４へ送信した電子透かし情報に含まれる、電子透かしＩＤとその電子透かし情報が埋め込まれたウェブページのＵＲＬと電子透かしの有効期限とを含む真偽判定テーブルを真偽判定サーバ２へ送信する（ステップＳ１０７）。
【００２６】
また、管理部１５は電子透かし情報が埋め込まれたウェブページの送信の後に、サーバ発行テーブルに記録されている電子透かしＩＤと電子透かし有効期限とに対応付けて、更に、真偽判定サーバ２で利用されるチェックプログラムのＩＤと、チェックプログラムの有効期限と、電子透かし情報を埋め込んだウェブページのＵＲＬと、チェックプログラムの送信先の真偽判定サーバのＵＲＬとを対応付けて記録する。また真偽判定サーバ２においては、管理サーバ１より受信した電子透かしＩＤ、ウェブページＵＲＬ、電子透かしの有効期限を、データベース２４に記憶する真偽判定テーブルに対応付けて書き込む。電子透かし情報の埋め込まれるウェブページが複数ある場合には真偽判定テーブルには電子透かしＩＤ、ウェブページＵＲＬ、電子透かしの有効期限の対応関係が複数記録されることとなる。
【００２７】
また、管理サーバ１には、電子透かし情報を特定するための電子透かしＩＤと、その電子透かし情報を埋め込んだウェブページの識別情報（ウェブページのＵＲＬとウェブページ名の対応関係の情報）と、当該ウェブページにおける文字入力欄の識別情報（文字入力欄のフィールドＩＤと入力欄名の対応関係の情報）とを対応付けた重要文字列特定テーブルがデータベース１６に記録されている。この重要文字列特定テーブルは、正規ウェブサーバ４の管理者の指示によって管理サーバ１に登録されたものである。後の処理において、ウェブページの識別情報と文字入力欄の識別情報から、端末６が受信したウェブページの文字列入力欄に入力された文字列が重要文字列がどうかが当該端末６において判定され、重要文字列である場合には、文字入力欄に入力された文字列の端末６への登録が処理される。重要文字列特定テーブルは管理サーバ１から真偽判定サーバ２へ送信され（ステップＳ１０８）、真偽判定サーバ２のデータベース２４に登録される。以上の処理により、サーバ側におけるウェブページ真偽確認システムの設定が完了する。
【００２８】
図５は、サーバ発行テーブルに記録される情報を示す図である。
この図が示すように、データベース１６の保持するサーバ発行テーブルには、正規ウェブサーバ４の配信するウェブページに埋め込んだ電子透かしのＩＤと、電子透かし有効期限と、真偽判定サーバ２で利用されるチェックプログラムのＩＤと、チェックプログラムの有効期限と、電子透かし情報を埋め込んだウェブページのＵＲＬと、チェックプログラムの送信先の真偽判定サーバのＵＲＬとがウェブページ毎に対応付けられて記録される。
【００２９】
図６は管理サーバ１のデータベース１６およびハッシュ値リスト配布サーバ３のデータベース３４、端末６の記憶部６９が記憶するハッシュ値テーブルを示す図である。図６で示すように、ハッシュ値テーブルには、ハッシュ値リストの更新日と、電子透かしが埋め込まれた画像データのハッシュ値のリストであるハッシュ値リストとが記録される。また、端末６の記憶部６９が記憶するハッシュ値テーブルには、端末６がハッシュ値リスト配布サーバ３にハッシュ値テーブルの更新日を確認した最後の日付けを、ハッシュ値リスト確認日として記憶される。
【００３０】
図７は重要文字列特定テーブルに記録される情報を示す図である。
図７で示すように管理サーバ１では、電子透かし情報を特定するための電子透かしＩＤと、電子透かし情報を埋め込んだウェブページの識別情報（ウェブページのＵＲＬとウェブページ名の対応関係の情報）と、当該ウェブページにおける文字入力欄の識別情報（文字入力欄のフィールドＩＤと入力欄名の対応関係の情報）とがウェブページ毎に対応付けられた重要文字列特定テーブルをデータベース１６に記録している。なお、一つのウェブページには１又は複数の重要文字列を入力する文字入力欄を設定可能であり、またウェブページによっては、重要文字列を入力する文字入力欄があるウェブページと、当該文字入力欄がないウェブページとがある。そして重要文字列特定テーブルに登録される情報は、重要文字列を入力する文字入力欄があるウェブページについてのウェブページの識別情報と、当該ウェブページにおける文字入力欄の識別情報の組合せである。この重要文字列特定テーブルの情報は真偽判定サーバ２へ送信されて、当該真偽判定サーバ２のデータベース２４に格納される。なお、ウェブページ名とは例えば『トップページ』などの正規ウェブサーバ４が送信するウェブページを特定できる文字列の情報である。また、文字入力欄のフィールドＩＤとは、例えばウェブページがＨＴＭＬ等のマークアップ言語で記述されている場合には、当該マークアップ言語の記述中における文字入力欄を特定するためのタグＩＤである。また入力欄名は、例えば、当該マークアップ言語の記述中において、文字入力欄を特定するための文字列である。
【００３１】
管理サーバ１や真偽判定サーバ２やハッシュ値リスト配布サーバ３や正規ウェブサーバ４で上記ステップＳ１０１からステップＳ１０８の処理が行われる一方、端末６側においては、ユーザによる端末６の操作によって、端末６が管理サーバ１へアクセスし、真偽判定依頼プログラムのダウンロード要求を通知する（ステップＳ１０９）。この通知を管理サーバ１が受けると、真偽判定依頼プログラム配信部１４は、真偽判定依頼プログラムをデータベース１６などから読取って端末６へ配信する（ステップＳ１１０）。ここで、この真偽判定依頼プログラムは、端末６において実行されることにより、端末６内部に電子透かし有無判定部６４、ハッシュ値リスト取得部６５、真偽判定依頼処理部６６、文字列送信可否判定部６７、重要文字列登録部６８の各処理機能を構成する。
【００３２】
真偽判定依頼プログラムが端末６においてユーザの操作によって実行されると、当該プログラムはまず、真偽判定依頼プログラムが既に実装されていないかの判定（ステップＳ１１１）を行う。次に、端末６のハッシュ値リスト取得部６５は記憶部６９に記録されているハッシュ値リストの確認日が現在日でなければ、ハッシュ値リストの更新日をハッシュ値リスト配布サーバ３に送信し（ステップＳ１１２）、これを受けたハッシュ値リスト配布サーバ３のハッシュ値リスト配信部３３は、データベース３４に記憶しているハッシュ値リストの更新日と比較し、一致しないときは、同じくデータベース３４に記憶しているハッシュ値リストとその更新日を端末６に配信する（Ｓ１１３）。これを受けたハッシュ値リスト取得部６５は、記憶部６９に受けたハッシュ値リストとその更新日を記録するとともに、確認日を現在日に変更する。
【００３３】
そして、真偽判定依頼処理部６６がその後、ウェブブラウザ処理部６３におけるウェブページの受信処理を常時監視する処理を行う（ステップＳ１１４）。ここで真偽判定依頼プログラムには、当該プログラムのＩＤ、有効期限の情報が格納されており、これらの情報も設定ファイル（端末発行テーブル）などとして、管理サーバ１のデータベース１６に記録される。なお、真偽判定依頼プログラムは、ウェブブラウザに実装されるプラグインのような形式のプログラムであっても良いし、また、端末６のコンピュータに常駐するプログラムのような形式であってもよい。以上の処理により端末側におけるウェブページ真偽確認システムの設定が完了する。
【００３４】
図８は端末発行テーブルに記録される情報を示す図である。
図８で示すように管理サーバ１の管理部１５は、端末発行テーブルに、真偽判定依頼プログラムのＩＤと、真偽判定依頼プログラムの有効期限と、送信先の端末のＩＰアドレスを対応付けて格納し、データベース１６に登録する。
【００３５】
図９はウェブページ真偽判定の処理の流れを示す概念図である。
図１０はウェブページ読み込み時における端末の真偽確認処理フローを示す図である。
図１１は文字列送信時における端末の真偽確認処理フローを示す図である。
次に、図９〜図１１を用いてウェブページ真偽判定の処理について説明する。
まず、端末６では真偽判定依頼プログラムが実行されて、電子透かし有無判定部６４、ハッシュ値リスト取得部６５、真偽判定依頼処理部６６、文字列送信可否判定部６７、重要文字列登録部６８、記憶部６９の各機能部が構成されているものとする。この様な状況下において、図９より、ユーザの端末６の操作を契機に、ウェブブラウザ処理部６３がウェブページの配信要求を、正規ウェブサーバ４または偽ウェブサーバ５へ送信したとする。すると正規ウェブサーバ４または偽ウェブサーバ５のウェブサーバ処理部４３は、端末６に指定されたウェブページを当該端末６へ配信する（ステップＳ２０１）。端末６においてはウェブブラウザ処理部６３が正規ウェブサーバ４または偽ウェブサーバ５から配信されたウェブページを表示部に表示する。
【００３６】
ここで端末６の電子透かし有無判定部６４は、受信したウェブページをウェブブラウザ処理部６３から読み込み、当該ウェブページの画像データのハッシュ値を算出して、該ハッシュ値と一致するハッシュ値がハッシュ値リストにあるか否かに基づき、電子透かし情報が埋め込まれているか否かを判定する（ステップＳ２０２）。そして、電子透かし情報が埋め込まれている場合には、真偽判定依頼処理部６６が端末６の表示部に「真偽判定中」などの表示により真偽判定開始をユーザに通知し、ウェブページに埋め込まれた電子透かし情報が所定の電子透かし情報であるか否かを判定し、暗号化されている場合にはその電子透かし情報を復号する。次に、電子透かし情報から有効期限内か否かを判定し、有効期限内である場合には、ウェブページ真偽判定依頼情報を生成する（ステップＳ２０３）。真偽判定依頼処理部６６は、このウェブページ真偽判定依頼情報を暗号化しても良い。
【００３７】
ウェブページ真偽判定依頼情報は、端末６のＩＰアドレス、真偽判定依頼プログラムのＩＤと有効期限、真偽判定サーバＵＲＬ、ウェブページに埋め込まれた電子透かし情報のＩＤと有効期限、そのウェブページのＵＲＬ、ウェブページ真偽判定依頼情報の作成日時の情報が格納されたものである。これらの情報は、電子透かし情報やウェブページや記憶部６９に保持されている設定ファイルから読み込む。そして、ウェブページ真偽判定依頼情報を生成すると真偽判定依頼処理部６６は、ウェブページ真偽判定依頼情報内に保持されている真偽判定サーバＵＲＬ宛てに、当該ウェブページ真偽判定依頼情報を送信し（ステップＳ２０４）、第１回目の真偽判定依頼を行う。
【００３８】
真偽判定サーバ２においては、ウェブページ真偽判定依頼情報を受信すると、真偽判定処理部２３が、暗号化されている場合にはそのウェブページ真偽判定依頼情報を復号し、そのウェブページ真偽判定依頼情報に格納されている真偽判定依頼プログラムのＩＤと有効期限、電子透かし情報のＩＤ、電子透かし情報が埋め込まれたウェブページのＵＲＬ、電子透かしの有効期限を読み込む。また真偽判定処理部２３は、ウェブページ真偽判定依頼情報から読取った電子透かし情報のＩＤに対応付けられて真偽判定テーブルに記録されているウェブページＵＲＬ、電子透かしの有効期限を読取る。そして、真偽判定依頼プログラムＩＤのＩＤ体系（ＩＤの文字数など）が正しいか否かの判定、真偽判定依頼プログラムの有効期限が過ぎていないか否かの判定、電子透かしＩＤのＩＤ体系が正しいか否かの判定、電子透かしの有効期限が過ぎていないか否かの判定、ウェブページ真偽判定依頼情報から読取った電子透かしＩＤとその電子透かしが埋め込まれたウェブページのＵＲＬの対応関係が真偽判定テーブルに記録されているか否かの判定、によってウェブページの真偽判定を行う（ステップＳ２０５）。
【００３９】
そして真偽判定処理部２３は、各判定において、真偽判定依頼プログラムと電子透かしの各ＩＤのＩＤ体系が正しく、それぞれ有効期限内で、電子透かしＩＤとウェブページＵＲＬの対応関係が真偽判定テーブルに記録されていれば、ウェブページ真偽判定依頼情報に格納されたウェブページＵＲＬのウェブページは正規ウェブサーバ４から提供された真のウェブページであると判定する。また真偽判定処理部２３は、真偽判定依頼プログラムや電子透かしの各ＩＤのＩＤ体系が正しくない場合、有効期限内でない場合、電子透かしＩＤとウェブページＵＲＬの対応関係が真偽判定テーブルに記録されていない場合、などの何れかの場合が判定された時には、ウェブページ真偽判定依頼情報に格納されたウェブページＵＲＬのウェブページは偽であると判定する。なお、ウェブページが偽であると判定された場合には、警告情報通知部２５が、偽ページが検出された旨の内容を示す情報を真偽判定サーバ２のデータベース２４に保存する。なお、偽ページが検出された旨の内容を示す情報を管理サーバ１に送信するようにしても良い。
【００４０】
次に真偽判定処理部２３は、ウェブページの真偽の判定が終了すると、真偽結果データを作成する（ステップＳ２０６）。この真偽結果データには、少なくとも、判定したウェブページＵＲＬと、そのＵＲＬのウェブページが真か偽かの情報が含まれている。また真偽判定処理部２３は重要文字列特定テーブル（図７）をデータベース２４から読み取る。
そして、真偽判定処理部２３は真偽結果データを端末６へ送信し（ステップＳ２０７）、また重要文字列特定テーブルを端末６へ送信する（ステップＳ２０８）。この時、真偽判定処理部２３は真偽結果データや重要文字列特定テーブルの情報を暗号化して送信するようにしてもよい。
【００４１】
端末６においては、真偽結果データと、重要文字列特定テーブルの情報を受信すると、重要文字列登録部６８が重要文字列特定テーブルを記憶部６９に格納する（ステップＳ２０９）。なお、重要文字列特定テーブルの情報は暗号化して登録するようにしても良い。
また文字列送信可否判定部６７が、真偽判定結果データが暗号化されている場合には復号し、当該真偽結果データに含まれるウェブページの「真」、「偽」の情報を読取る。そして文字列送信可否判定部６７は、真偽判定結果が「真」である場合にはその結果をウェブページ内等の画面上（例えば、ツールバー等）に表示して、次の処理への移行を判定する。一方、真偽判定結果が「偽」である場合には受信したウェブページ内等の画面上（例えば、ツールバー等）に真偽判定結果が「偽」であることを出力する（ステップＳ２１０）。以上の処理によれば、第１回目の真偽判定依頼を端末６が真偽判定サーバ２に対して行って、その結果端末６で受信した真偽判定結果が「偽」である場合に、その真偽判定結果「偽」を端末６で受信したウェブページ上に表示する。従って、ウェブページに文字を入力する前に、端末６のユーザがウェブページが偽であることを認識することができるので、ユーザがウェブページ内の文字入力欄に文字を入力する行為をその入力前に抑止することができる。よって、例えばスパイウェアなどが格納されたウェブページを端末が受信した場合や、スパイウェアが端末上で動作している場合には、ユーザが不用意に重要な文字を入力することを抑制できるので、入力文字の漏洩リスクを低減でき、これにより端末のセキュリティを向上させることができる。
【００４２】
図１０は、上述のＳ２０２における端末６の動作、すなわちウェブページ読み込み時における端末の動作を説明する処理フローである。まず、ウェブブラウザ処理部６３がウェブデータを読み込むと、電子透かし有無判定部６４が該ウェブデータ中の画像データを読み込む（Ｓ４０１）。次に、電子透かし有無判定部６４は、ステップＳ４０１で読み込んだ画像データのハッシュ値を算出し、算出したハッシュ値と一致する値が、記憶部６９に記録されているハッシュ値リストにあるか否かを判定する（Ｓ４０２）。ステップＳ４０２の判定で一致するものがないと判定すると、ウェブデータ中にハッシュ値を未算出の画像データが他にあれば、ステップＳ４０１に戻り、無ければ処理を終了する（Ｓ４０３）。ステップＳ４０２にて、一致するものがあると判定すると、電子透かしがあるとみなして前述のステップＳ２０３以降の処理を行う。
【００４３】
このように、端末６の電子透かし有無判定部６４は、ウェブページ中の画像データに電子透かしが埋め込まれているか否かを、これらの画像データのハッシュ値を算出し、これらのハッシュ値をハッシュ値リストと比較することで判定できるため、各画像データの電子透かしを直接検出する場合に比べて演算量を抑制し、ウェブページを表示するまでの時間を短縮することができる。なお、同じデータ量の画像データに対するハッシュ値を算出する場合に比べて、電子透かしを検出する場合は、１０２〜１０３倍程度の時間を要する。
【００４４】
次に図１１より、第１回目の真偽判定依頼に対応する真偽結果データを受信した後、真偽判定依頼処理部６６は、文字入力欄への文字列の入力を待機し（ステップＳ３０１）、受信したウェブページにおいて、文字入力欄に入力された文字列の送信指示が入力されたか否かの検出を行う（ステップＳ３０２）。そして文字列の送信指示を検出すると、真偽判定依頼処理部６６は、端末６の表示部に「真偽判定中」などの表示により真偽判定開始をユーザに通知し、再度画像データのハッシュ値を算出し、算出したハッシュ値と同じ値が、記憶部６９に記録されているハッシュ値リストにあるか否かを判定する（ステップＳ３０３）。次に、ステップＳ３０３において算出したハッシュ値と同じ値がハッシュ値リストにあると判定した場合、そのハッシュ値の画像データから取得した電子透かし情報から有効期限内か否かを判定し、有効期限内である場合にウェブページ真偽判定依頼情報を生成する（ステップＳ３０４）。真偽判定依頼処理部６６は、このウェブページ真偽判定依頼情報を暗号化しても良い。そして、ウェブページ真偽判定依頼情報を生成すると真偽判定依頼処理部６６は、ウェブページ真偽判定依頼情報の保持する真偽判定サーバＵＲＬ宛てに、当該ウェブページ真偽判定依頼情報を送信し（ステップＳ３０５）、第２回目の真偽判定依頼を行う。
【００４５】
真偽判定サーバ２においては、ウェブページ真偽判定依頼情報を受信すると、真偽判定処理部２３が、暗号化されている場合にはそのウェブページ真偽判定依頼情報を復号し、そのウェブページ真偽判定依頼情報に格納されている真偽判定依頼プログラムのＩＤと有効期限、電子透かし情報のＩＤ、電子透かし情報が埋め込まれたウェブページのＵＲＬ、電子透かしの有効期限を読み込む。また真偽判定処理部２３は、ウェブページ真偽判定依頼情報から読取った電子透かし情報のＩＤに対応付けられて真偽判定テーブルに記録されているウェブページＵＲＬ、電子透かしの有効期限を読取る。そして、真偽判定依頼プログラムＩＤのＩＤ体系（ＩＤの文字数など）が正しいか否かの判定、真偽判定依頼プログラムの有効期限が過ぎていないか否かの判定、電子透かしＩＤのＩＤ体系が正しいか否かの判定、電子透かしの有効期限が過ぎていないか否かの判定、ウェブページ真偽判定依頼情報から読取った電子透かしＩＤとその電子透かしが埋め込まれたウェブページのＵＲＬの対応関係が真偽判定テーブルに記録されているか否かの判定、を行う。
【００４６】
そして真偽判定処理部２３は、各判定において、真偽判定依頼プログラムと電子透かしの各ＩＤのＩＤ体系が正しく、それぞれ有効期限内で、電子透かしＩＤとウェブページＵＲＬの対応関係が真偽判定テーブルに記録されていれば、ウェブページ真偽判定依頼情報に格納されたウェブページＵＲＬのウェブページは正規ウェブサーバ４から提供された真のウェブページであると判定する。また真偽判定処理部２３は、真偽判定依頼プログラムや電子透かしの各ＩＤのＩＤ体系が正しくない場合、有効期限内でない場合、電子透かしＩＤとウェブページＵＲＬの対応関係が真偽判定テーブルに記録されていない場合、などの何れかの場合が判定された時には、ウェブページ真偽判定依頼情報に格納されたウェブページＵＲＬのウェブページは偽であると判定する。ウェブページが偽であると判定された場合には、警告情報通知部２５が、所定のメールアドレスやＩＰアドレスなどを用いて、偽ページが検出された旨の通知を所定のサーバに行うようにしても良い。次に真偽判定処理部２３は、ウェブページの真偽の判定が終了すると、真偽結果データを作成する。そして、真偽判定処理部２３は真偽結果データを端末６へ送信する。この時、真偽判定処理部２３は真偽結果データの情報を暗号化して送信するようにしてもよい。なお、真偽判定サーバ２における処理は、上述のステップＳ２０３〜ステップＳ２０７の処理と同様である。
【００４７】
次に、端末６においては、文字列送信可否判定部６７が真偽判定結果データを受信すると、その情報が暗号化されている場合には復号し、当該真偽結果データに格納されている情報を読み取って「真」か「偽」かを判定する（ステップＳ３０６）。そして真偽結果データが「真」である場合には、後述する重要文字列登録処理を行うか否かを判定して（ステップＳ３０７）、重要文字列登録処理を行う場合にはウェブページの文字入力欄に入力された文字列を記憶部６９へ登録して（ステップＳ３０８）、その文字列の送信の保留を解除して文字列の送信処理を継続するようウェブブラウザ処理部６３へ通知する（ステップＳ３０９）。そしてウェブブラウザ処理部６３が、ウェブページに入力された文字列を通信ネットワークを介して正規ウェブサーバ４へ送信する。またステップＳ３０６において真偽結果データが「偽」である場合には、文字入力欄に入力された文字列の送信の保留や当該文字列の送信の警告表示を行う（ステップＳ３１０）。例えばステップＳ３１０の処理においては、（１）保留して警告表示する、または（２）警告表示して、保留するか否かを選択させ、保留と選択された場合は保留し、保留しないと選択された場合は文字列を送信する。
【００４８】
なお、別の実施形態としては、例えば、真偽結果データには、少なくとも、判定したウェブページＵＲＬと、そのＵＲＬのウェブページが真か偽かの情報が含まれているので、上述のステップＳ２０３からステップＳ２０８の後、端末６がメモリ等にその真偽結果データを保持しておけば、ステップＳ３０４で生成したウェブページ真偽判定依頼情報に格納されているウェブページのＵＲＬなどによって、既に行われた真偽判定の真偽結果データを特定することができる。つまりステップＳ３０５においてウェブページ真偽判定依頼情報を真偽判定サーバ２に送信せずに、端末６の内部で、ステップＳ３０４で生成したウェブページ真偽判定依頼情報に対応する真偽結果データを端末６のキャッシュメモリなどがから読み取って、その真偽結果データに格納されている「真」または「偽」の情報を用い、真偽結果データが「真」か「偽」かのステップＳ３０６における判定の処理を行うようにしてもよい。
【００４９】
ここで、上述のステップＳ３０７の重要文字列登録処理を行うか否かの判定は、まず、端末６の重要文字列登録部６８が、ウェブページＵＲＬと、文字列が入力された全ての文字入力欄のフィールドＩＤとを、受信したウェブページから読み込む。そしてウェブページＵＲＬと一つのフィールドＩＤの対応関係の情報（一つのウェブページからフィールドＩＤを複数読み込んだ場合にはその対応関係は複数になる）が記憶部６９に既に格納されている重要文字列特定テーブル（ステップＳ２０９で格納した重要文字列特定テーブル）に登録されているか否かを判定する。そしてウェブページＵＲＬと、文字列が入力された文字入力欄のフィールドＩＤとの対応関係（重要文字列特定情報）が、重要文字列特定テーブルに登録されている場合には、ステップＳ３０８の処理、つまり文字入力欄に入力された文字列を記憶部６９の重要文字列記憶テーブルに登録する。またウェブページＵＲＬと、文字列が入力された文字入力欄のフィールドＩＤとの対応関係（重要文字列特定情報）が、重要文字列特定テーブルに登録されていない場合には、ステップＳ３０９の処理、つまり文字列の送信の保留を解除して文字列の送信処理を継続するようウェブブラウザ処理部６３へ通知する処理が行われる。
【００５０】
ここで、正規ウェブサーバ４の管理者はウェブページを作成し、当該ウェブページに電子透かし情報を埋め込み、またそのウェブページの文字入力欄に入力される文字列が重要な文字列（例えば、ユーザＩＤやパスワードなど）である場合に、そのウェブページのＵＲＬとウェブページ名、文字入力欄のフィールドＩＤと入力欄名、およびそのウェブページに埋め込んだ電子透かし情報の電子透かしＩＤを対応付けて、重要文字列特定テーブルとして管理サーバ１に登録している。そして、この重要文字列特定テーブルが管理サーバ１から真偽判定サーバ２を介して端末６に送信され、ステップＳ２０９において端末６に登録されている。従って、端末６に表示されたウェブページに入力された文字列が、上述のステップＳ３０７で重要文字列であると特定され、ステップＳ３０８の処理で登録された場合、それは正規ウェブサーバ４の管理者によって指定されたウェブページの文字入力欄に入力された文字列は全て端末６で記憶しておくことを意味している。つまり、上述のステップＳ３０７〜ステップＳ３０８の処理によれば、正規ウェブサーバ４の管理者によって指定されたウェブページであってセキュリティの観点から重要なウェブページの文字入力欄に入力された文字列を、端末６を利用するユーザの操作無く、正規ウェブサーバ４の管理者の意思によって登録することができる。これにより、当該ユーザが重要文字列の登録を行う作業を軽減できるとともに、重要文字列が何かを端末６のユーザに知らせる必要がないので当該ユーザも重要文字列が何かを知ることが無く、重要文字列に関する情報の漏洩などを減少させることができる。
【００５１】
また、ステップＳ３０３において、画像データのハッシュ値とハッシュ値リストの値で一致するものがないと判定した場合、文字列送信可否判定部６７は、文字入力欄に入力された文字列が記憶部６９の重要文字列記憶テーブルに記憶しているか否かを判定して（ステップＳ３１１）、当該文字列を記憶していなければその文字列の送信の保留を解除して文字列の送信処理を継続するようウェブブラウザ処理部６３へ通知する（ステップＳ３１２）。またステップＳ３１１において文字入力欄に入力された文字列を記憶部６９にて記憶していると判定した場合には、当該文字列の送信の保留や当該文字列の送信の警告表示を行う（ステップＳ３１３）。例えばステップＳ３１３の処理においてはステップＳ３１０のように、（１）保留して警告表示する、または（２）警告表示して、保留するか否かを選択させ、保留と選択された場合は保留し、保留しないと選択された場合は文字列を送信する。
【００５２】
またステップＳ３１３の処理における警告表示では、例えば、文字列送信可否判定部６７がウェブページのウェブページ名を読み取って、「警告！“ウェブページ名”の画面において重要な文字列を送信しようとしています！！」などの情報を画面上に表示するようにしてもよい。なお、ステップＳ３１１の文字列が記憶部６９に記憶しているか否かを判定では、ステップＳ３０８の文字列の登録によって記憶部６９に記憶された文字列か否かを判定している。つまり、電子透かし情報がウェブページに埋め込まれていない場合、当該ウェブページの文字入力欄に入力された文字列が重要文字列でなければそのまま送信の処理を行い、重要文字列である場合にはその保留や警告を行っている。これにより、不必要な文字列送信の保留や警告の処理を削減することができる。
【００５３】
また、上述のステップＳ３０２〜ステップＳ３１０処理により、真偽判定サーバ２の真偽結果に従って、ウェブサーバから配信されたウェブページの真偽を確認し文字情報を通信ネットワーク上に送信するので、端末６に登録されたセキュリティ上重要な文字列の通信ネットワーク上への配信を、ウェブページが正規のウェブページでない場合であって、重要文字列の場合に中止することができる。従って、偽ウェブページの文字入力欄へ入力された重要な文字列（ＩＤやパスワード、クレジットカード番号、メールアドレスなどの個人情報やその他の重要な情報）の漏洩を防ぐことができる。なお、本実施形態においては、電子透かしＩＤとウェブページのＵＲＬの対応関係が真偽判定テーブルに記録されているか否かにより、真偽判定を行っているが、ウェブページのＵＲＬの代わりにウェブページのＩＰアドレスを用いるようにしても良い。
【００５４】
また、上述の仕組みにより、ウェブサイトと端末の２者間によるウェブページの真偽の判定であると、ウェブサイト毎に異なるウェブページ真偽判定の方式が実装されている場合、端末は各方式に対応する機構を組み込まなくてはならないが、真偽判定サーバ２を加えて３者間によるウェブページの真偽の判定を行うことで、複数のウェブサイトの配信するウェブページを同一の認証機構で真偽判定することができるようになる。
【００５５】
図１２は、端末６のブラウザ起動時におけるハッシュ値リスト取得の処理フローを示す図である。端末６において、ユーザがウェブページを閲覧するためのブラウザを起動する操作を受け付けると、これをハッシュ値リスト取得部６５が検出して、記憶部６９のハッシュ値テーブルからハッシュ値リスト確認日を読出し、現在日の日付けと比較する（Ｓ５０１）。ステップＳ５０１にて確認日と現在日の日付けが同じであったときは、ハッシュ値リスト取得部６５は処理を終了してブラウザの起動処理に以降する。一方、ステップＳ５０１にて確認日と現在日の日付けた異なるときは、ハッシュ値リスト取得部６５は、記憶部６９のハッシュ値テーブルからハッシュ値リスト更新日を取得して、ハッシュ値リスト配布サーバ３に送信する（Ｓ５０２）。
【００５６】
ハッシュ値リスト配布サーバ３のハッシュ値リスト配信部３３は、このハッシュ値リスト更新日を受信して、データベース３４に記録されているハッシュ値テーブルのハッシュ値リスト更新日と比較する（Ｓ５０３）。ステップＳ５０３の比較の結果、２つの更新日が同じときは、ハッシュ値リスト配信部３３は、ハッシュ値リストの更新が無い旨を端末６に通知する（Ｓ５０５）。この通知を受けた端末６のハッシュ値リスト取得部６５は、記憶部６９が記憶しているハッシュ値テーブルのハッシュ値リスト確認日を現在日に更新し（Ｓ５０６）、ハッシュ値リスト取得部６５は処理を終了してブラウザの起動処理に以降する。一方、ステップＳ５０３の比較の結果、２つの更新日が異なるときは、ハッシュ値リスト配信部３３は、データベース３４のハッシュ値テーブルからハッシュ値リストとハッシュ値リスト更新日とを読み出して、端末６に送信する。この通知を受けた端末６のハッシュ値リスト取得部６５は、記憶部６９が記憶しているハッシュ値テーブルのハッシュ値リストとハッシュ値リスト更新日とを受信したものに更新するとともに（Ｓ５０４）、ハッシュ値リスト確認日を現在日に更新し（Ｓ５０６）、ハッシュ値リスト取得部６５は処理を終了してブラウザの起動処理に以降する。
【００５７】
このように、端末６は、ブラウザの起動時に、自装置が記憶しているハッシュ値リストが最新のものであるか確認し、最新のものでないときは、ハッシュ値リスト配布サーバ３から取得するようにしているので、起動の度に最新のハッシュ値リストを取得することができる。これにより、新規に正規ウェブサーバ４が追加されたときでも、ハッシュ値リストに新規の正規ウェブサーバ４の電子透かし情報が埋め込まれた画像データのハッシュ値を登録しておくことで、既存の端末６も新規の正規ウェブサーバ４に対応することができる。
また、本実施形態において、図１２のハッシュ値リストの取得処理は、ブラウザの起動時に行なうとして説明したが、周期的に取得処理が動作するようにしてもよいし、ブラウザがウェブページを取得して、電子透かしを埋め込まれた画像データの検出を行なう度に、この取得処理が動作するようにしてもよい。
【００５８】
従来はフィッシングサイトの判定を行うだけのものはあったが、ウェブページの真偽判定の結果と当該ウェブページに電子透かしが埋め込まれているか否かの情報に応じて、そのウェブページを公開しているウェブサイトの危険度や送信対象の情報の重要度を判定し、ウェブページの文字入力欄に入力された文字列の監視および送信を制御する製品がなかった。従って、ユーザがウェブページを公開するウェブサイトの危険度を認知しても的確な判断ができずに誤った判断をし、不本意に重要情報を危険なウェブサイトに送信してしまうことがあった。本発明はこれらを解決するための技術であり、受信したウェブページがフィッシングサイトから送信されたものか否かの表示を行い、また、正規ウェブサーバの管理者の指定した文字入力欄における重要な文字列を認識し、その送信を制御する方法を用いている。これによりユーザの誤った自己判断を防止し、情報漏洩の防止を実現している。
【００５９】
なお上述の各サーバや端末は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００６０】
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【００６１】
図面を参照して詳述してきたが、具体的な構成はこの実施形態に限られるものではなく、この発明の要旨を逸脱しない範囲の設計等も含まれる。
【産業上の利用可能性】
【００６２】
本発明は、インターネットなどの通信ネットワークを介したウェブシステムに対するウェブページ真偽確認システムに用いて好適であるが、これに限定されない。
【図面の簡単な説明】
【００６３】
【図１】この発明の一実施形態におけるウェブページ真偽確認システムの構成を示すブロック図である。
【図２】同実施形態における各サーバの機能ブロックを示す図である。
【図３】同実施形態における端末の機能ブロックを示す図である。
【図４】同実施形態における登録設定の処理の流れを示す概念図である。
【図５】同実施形態におけるサーバ発行テーブルに記録される情報を示す図である。
【図６】同実施形態におけるハッシュ値テーブルに記録される情報を示す図である。
【図７】同実施形態における重要文字列特定テーブルに記録される情報を示す図である。
【図８】同実施形態における端末発行テーブルに記録される情報を示す図である。
【図９】同実施形態におけるウェブページ真偽判定の処理の流れを示す概念図である。
【図１０】同実施形態におけるウェブページ真偽確認システムにおける端末６のステップＳ２０２の処理フローを示す図である。
【図１１】同実施形態におけるウェブページ真偽確認システムにおける端末６の処理フローを示す図である。
【図１２】同実施形態における端末６のブラウザ起動時におけるハッシュ値リスト取得の処理フローを示す図である。
【符号の説明】
【００６４】
１…管理サーバ
２…真偽判定サーバ
３…ハッシュ値リスト配布サーバ
４…正規ウェブサーバ
５…偽ウェブサーバ
６…端末
１１、２１、３１、４１、６１…通信処理部
１２、２２、３２、４２、６２…制御部
１３…電子透かし情報生成部
１４…真偽判定依頼プログラム配信部
１５…管理部
１６…データベース
１７…ハッシュ値算出部
２３…真偽判定処理部
２４…データベース
３３…ハッシュ値リスト配信部
３４…データベース
３５…ハッシュ値リスト管理部
４３…ウェブサーバ処理部
４４…記憶部
６３…ウェブブラウザ処理部
６４…電子透かし有無判定部
６５…ハッシュ値リスト取得部
６６…真偽判定依頼処理部
６７…文字列送信可否判定部
６８…重要文字列登録部
６９…記憶部
【図１】
2008242672.tif 000003
【図２】
2008242672.tif 000004
【図３】
2008242672.tif 000005
【図４】
2008242672.tif 000006
【図５】
2008242672.tif 000007
【図６】
2008242672.tif 000008
【図７】
2008242672.tif 000009
【図８】
2008242672.tif 000010
【図９】
2008242672.tif 000011
【図１０】
2008242672.tif 000012
【図１１】
2008242672.tif 000013
【図１２】
2008242672.tif 000014